(57)【要約】      （修正有）【課題】設置場所の制約が受けにくく、開閉器のハンドルの大きさ形状に合わせ調整でき、開閉器の操作ハンドルに容易に装着可能な開閉器の操作ハンドルクランプロック装置を提供する。【解決手段】２固定された上爪と、５外側のレバーを９軸先端６ピンを支点として可動方向下側に倒した時、５レバー支点側の楕円形状により９軸が可動方向に引き上げられ１フレーム内ある４下爪が下爪固定８ピンを支点として４下爪先端部が上に動き、２上爪と４下爪の間隔が狭くなる事でクランプ式を構成し、開閉器の操作ハンドルがオフ時に斜め下の位置を保持するときに、開閉器の操作ハンドルをクランプし操作できないように固定し、かつクランプを解除できないようにする施錠手段を係止させる長孔を５レバー反支点側、フレーム両側面側に配置し、５レバーを可動方向下側倒したとき長孔同士が係合施錠でき解除阻止手段を構成する。【選択図】図３
0003142853.tif 000002
【実用新案登録請求の範囲】
【請求項１】
ブレーカーのハンドルを遮断時にロックして偶発的に  NO状態に入る  ことを防止する装置。前記ハンドルのロックをクランプ式で構成したことが特徴。またクランプレバーを手前にすることによりブレーカーが奥に引っ込んだ条件でのロックができ突き出した形状より南京錠も掛けることが出来る。
【考案の詳細な説明】
【技術分野】
【０００１】
この装置は、ブレーカーハンドルを遮断時にロックする構成に関する。
【背景技術】
【０００２】
従来の装置は、ブレーカーハンドルをロックする構成を差込、ネジ止めになっている、その為  狭い場所、奥まった場所での取付けが用意では無い。
【特許文献１】実開05-011269号公報
【考案の開示】
【考案が解決しようとする課題】
【０００３】
以上の課題を解決するために、この装置はブレーカーハンドルが正面から目視でき装置が挿入することができればブレーカーハンドルをロックすることができ南京錠を掛けられる。
【図面の簡単な説明】
【０００４】
【図１】この装置の一実施例を図1〜図2について説明する。図1はブレーカーハンドルに装着した状態を示す側面図。
【図２】図2は装置を上から見た図、図5は装置クランプを開いた時の正面図、図6は装置クランプを開いた時右側から見た図。
【図１】
0003142853.tif 000003
【図２】
0003142853.tif 000004
【手続補正書】
【提出日】平成20年3月10日(2008.3.10)
【手続補正１】
【補正対象書類名】実用新案登録請求の範囲
【補正対象項目名】全文
【補正方法】変更
【補正の内容】
【実用新案登録請求の範囲】
【請求項１】
絶縁ケ−スの開口部から突出した起倒型操作ハンドルにより上記絶縁ケース内部開閉機構部を開閉操作      するようになされた開閉器であって、上記操作ハンドルを固定された上爪と、外側のレバーを軸先端      ピンを支点として手前に倒した時、レバー支点側の楕円形状により軸が引き上げられフレーム内にある      下爪が下爪固定ピンを支点として下爪先端部が上に動き、上爪と下爪の間隔が狭くなる事でクランプ      式を構成し上記操作ハンドルがオフ時に斜め下の位置を保持する時に上記操作ハンドルをクランプし      操作できないように固定し、かつクランプを解除できないようにする施錠手段を係止させる長孔      をレバー反支点側、フレーム両側面側に配置しレバーを手前に倒したとき長孔同士が係合施錠できる      解除阻止手段とを備えた開閉器の操作ハンドルクランプ式施錠装置      さらに、レバーを手前にする形状により開閉器の操作ハンドルが奥に引っ込んだ条件での請求項1に記載      の開閉器の操作ハンドルクランプ式施錠装置。
【手続補正２】
【補正対象書類名】明細書
【補正対象項目名】全文
【補正方法】変更
【補正の内容】
【考案の詳細な説明】
【技術分野】
【０００１】      この考案は、開閉器の操作ハンドルクランプロック装置、特に回路遮断器などの起倒型操作ハンドルを      遮断時オフ状態にクランプロックし、オン状態に操作を禁止するようにした開閉器の操作ハンドルクラ      ンプロック装置に関する。
【背景技術】
【０００２】      開閉器の操作ハンドルをむやみに操作させないための開閉器の操作ハンドルロック装置として、操作ハン      ドル部に直接差し込むタイプ、操作ハンドル部ネジ込みにて締め上げ固定タイプ、各開閉器の筐体に装着      させるタイプがある。【０００３】      前者のタイプは、操作ハンドル大きさ形状別で異なるため複数の装置が必要であり      中者のタイプは、操作ハンドル部根元付近でネジ込み取り付けるため取付条件に制約が発生しやすい      後者のタイプは、筐体からの装着のため  大きさ形状別で複数の装置が必要。【特許文献１】実開05-011269号公報
【考案の開示】
【考案が解決しようとする課題】
【０００４】        従来の開閉器の操作ハンドルロック装置は  操作ハンドル大きさ形状別で異なるため複数の装置が要る為        使用者はこれらの装置の管理という煩わしさが欠かせない、また開閉器の設置場所の条件で制約を受け取付        が困難であった。【０００５】        以上の課題を解決するために、開閉器の操作ハンドルが正面から目視できこの考案装置を挿入すること        ができるスペースがあれば開閉器の操作ハンドルの大きさ形状を問わずクランプロックすることが出来る、        また施錠長孔が開閉器のハンドルから離れているため施錠を容易に得る事である。
【図面の簡単な説明】
【０００６】
【図１】この考案の実施の形態おけるクランプロック装置の装着施錠前の（C）制御盤等に設置された              開閉器の操作ハンドル（Ｄ）がオフ状態で奥に引っ込んだ状態と（Ｅ）制御盤パネル断面を              示す側面図である。
【図２】この考案（A）開閉器の操作ハンドルクランプロック装置の実施の形態おける装着後状態で              施錠長孔に（B）南京錠を掛け示す側面図である。
【図３】この考案（A）開閉器のハンドルクランプロック装置の符号１〜１７部品詳細表と、構成平面図である。
【手続補正３】
【補正対象書類名】図面
【補正対象項目名】図１
【補正方法】変更
【補正の内容】
【図１】
0003142853.tif 000005
【手続補正４】
【補正対象書類名】図面
【補正対象項目名】図２
【補正方法】変更
【補正の内容】
【図２】
0003142853.tif 000006
【手続補正５】
【補正対象書類名】図面
【補正対象項目名】図３
【補正方法】追加
【補正の内容】
【図３】
0003142853.tif 000007
【手続補正書】
【提出日】平成20年4月17日(2008.4.17)
【手続補正１】
【補正対象書類名】実用新案登録請求の範囲
【補正対象項目名】全文
【補正方法】変更
【補正の内容】
【実用新案登録請求の範囲】
【請求項１】
絶縁ケ−スの開口部から突出した起倒型開閉器操作ハンドルを固定する装置、操作ハンドルを固定された上爪と、外側のレバーを軸先端
ピンを支点として手前に倒した時、レバー支点側の楕円形状により軸が引き上げられフレーム内にある
下爪が下爪固定ピンを支点として下爪先端部が上に動き、上爪と下爪の間隔が狭くなる事でクランプ
式を構成し操作ハンドルがオフ時に斜め下の位置を保持する時に操作ハンドルをクランプし
操作できないように固定し、かつクランプを解除できないように施錠手段を係止させる長孔
をレバー反支点側、フレーム両側面側に配置しレバーを手前に倒したとき長孔同士が係合施錠可能とする
解除阻止手段を備え、さらにレバーを手前にする形状により開閉器の操作ハンドルが奥に引っ込んだ
条件での開閉器操作ハンドル固定クランプ式施錠装置。
【手続補正書】
【提出日】平成20年4月17日(2008.4.17)
【手続補正１】
【補正対象書類名】手続補正書
【補正対象項目名】手続補正６
【補正方法】削除
【補正の内容】